(57)【要約】      （修正有）【課題】商品を収納する容器の蓋、この蓋を用いた容器である。別体の蓋と容器であっても、蓋を開けても容器本体から外れ難い蓋及び容器を提供する。【解決手段】蓋１は、その端部１１に舌片１２を有し、舌片１２の平面にその平面より突出した突出部１３を有するものである。突出部１３は、突出部１３の突出方向とは反対方向に押された際に、舌片１２の裏面側に突出し、その突出後の形状が維持されるものである。容器本体２は、その端縁を延伸した延伸部２１を有し、延伸部２１に長穴２２を有し、長穴２２の配置位置の外側に上面側に突出した支持用突起２３を有するものである。【選択図】図１
2011168295.tif 000002
【特許請求の範囲】
【請求項１】
容器の蓋であって、その端部に舌片を有し、舌片の平面にその平面より突出した突出部を有し、突出部が当該突出部の突出方向とは反対方向に押された際に、舌片の裏面側に突出し、その突出後の形状が維持される蓋。
【請求項２】
突出部の傾斜面にリブを有する請求項１に記載の蓋。
【請求項３】
突出部に、突出部の突出方向と反対方向に逆突出部がある請求項１又は２に記載の蓋。
【請求項４】
凹部を有する容器本体と、凹部を覆う蓋とを有する容器であって、容器本体の端縁を延伸した延伸部を有し、延伸部に長穴を有し、蓋の端部に舌片を有し、舌片の平面にその平面より突出した突出部を有し、突出部が当該突出部の突出方向とは反対方向に押された際に、舌片の裏面側に突出し、その突出後の形状が維持される容器。
【請求項５】
請求項４記載の容器本体に、延伸部の長穴配置位置の外側に上面側へ突出した支持用突起が設けられた容器。
【発明の詳細な説明】
【技術分野】
【０００１】
本発明は、食材や商品を収納する容器の蓋、この蓋を用いた容器に係り、特に、別体の蓋と容器であっても、蓋を開けても容器本体から外れ難い蓋及び容器に関する。
【背景技術】
【０００２】
別体の蓋と容器本体を有する容器において、蓋を開けても蓋が容器本体から離脱しない技術として、容器本体の端縁に切り込みを設け、蓋の端縁に設けた舌片を切り込みに差し込んで一体化させる技術がある（特許文献１参照）。舌片が容器本体から外れないために、舌片の先端を基端より幅広にしている。
【先行技術文献】
【特許文献】
【０００３】
【特許文献１】実用新案登録第３１５４６１４号公報
【発明の概要】
【発明が解決しようとする課題】
【０００４】
しかしながら、特許文献１の舌片では、基端より先端が幅広なため、挿入したり抜き外すのに手間がかかり、高齢者や若年層の人では対応するのが難かしいという課題があった。
【課題を解決するための手段】
【０００５】
本発明は、容器の蓋であって、その端部に舌片を有し、舌片の平面にその平面より突出した突出部を有し、突出部が当該突出部の突出方向とは反対方向に押された際に、舌片の裏面側に突出し、その突出後の形状が維持される蓋である。
【０００６】
突出部の傾斜面にはリブを有するのが好ましい。
【０００７】
突出部には、突出部の突出方向と反対方向に逆突出部があるのが好ましい。
【０００８】
他の発明は、凹部を有する容器本体と、凹部を覆う蓋とを有する容器であって、容器本体の端縁を延伸した延伸部を有し、延伸部に長穴を有し、蓋の端部に舌片を有し、舌片の平面にその平面より突出した突出部を有し、突出部が当該突出部の突出方向とは反対方向に押された際に、舌片の裏面側に突出し、その突出後の形状が維持される容器である。
【０００９】
容器本体には、延伸部の長穴配置位置の外側に上面側へ突出した支持用突起を設けるのが好ましい。
【００１０】
本発明は、上述の構成により、蓋を容器本体に容易に取り付けること及び容易に取り外すことができる。
【図面の簡単な説明】
【００１１】
【図１】本発明に係る蓋及び容器本体の模式図
【図２】本発明に係る蓋を容器本体に取り付ける前の断面を模式的に示した説明図
【図３】本発明に係る蓋を容器本体に取り付けた際の断面を模式的に示した説明図
【図４】本発明に係る蓋を容器本体に取り付けた後に突出部を裏面側に突出させた状態の断面を模式的に示した説明図
【図５】図４の状態から蓋を最大に開いたときの断面を模式的に示した説明図
【図６】突出部の他の実施例を模式的に示した説明図。（Ａ）はその平面図。（Ｂ）は（Ａ）の下方からみた側面図
【符号の説明】
【００１２】
１  蓋
１１  端部
１２  舌片
１３  突出部
１４  逆突出部
１５  リブ
２  容器本体
２１  延伸部
２２  長穴
２３  支持用突起
【発明を実施するための形態】
【００１３】
以下、本発明を実施するための形態について、詳細に説明する。
本発明に係る蓋は、容器の蓋であって、その端部に舌片を有し、舌片の平面にその平面より突出した突出部を有し、突出部が当該突出部の突出方向とは反対方向に押された際に、舌片の裏面側に突出し、その突出後の形状が維持される蓋である。
【００１４】
舌片に突出部を設け、この突出部を裏面側に突出させた際に、その突出後の形状が維持されることにより、後述する容器本体の長穴から蓋が外れにくくなる。舌片を２枚以上設けることにより、突出部を表側と裏側のそれぞれに突出させることによって、蓋が容器本体からより外れに難くなる。
【００１５】
蓋の素材としては、突出部の突出方向とは反対方向に押された際に平板部の裏面側に突出し得る程度の柔軟性、及び、その突出後の形状が維持される程度の剛性を有することが必要であり、具体的には合成樹脂が用いられ、より具体的には、ポリエチレン、二軸延伸ポリスチレン、ポリエチレン・テレフタレート、アモルファス・ポリエチレン・テレフタレート、ポリプロピレン、ポリ塩化ビニル、ポリスチレン、耐衝撃性ポリスチレン、エチレン・ビニル・アルコールがあり、これら合成樹脂に充填剤、顔料、可塑剤、老化防止剤、滑剤等の添加剤を添加したものであっても良い。
【００１６】
突出部の傾斜面にリブを有することが好ましい。このリブがあることによっても、突出部が当該突出部の突出方向とは反対方向に押された際の形状が維持されやすい。
【００１７】
突出部には、突出部の突出方向と反対方向に逆突出部があるのが好ましい。この逆突出部の存在により、突出方向とは反対側に突出させた際の突出長さをより大きくすることができる。突出長さを大きくできることにより、蓋がより外れ難くなる。
【００１８】
他の発明は、容器に係る発明である。この容器は、凹部を有する容器本体と、凹部を覆う蓋とを有する容器であって、容器本体の端縁を延伸した延伸部を有し、延伸部に長穴を有し、蓋の端部に舌片を有し、舌片の平面にその平面より突出した突出部を有し、突出部が当該突出部の突出方向とは反対方向に押された際に、舌片の裏面側に突出し、その突出後の形状が維持される容器である。
【００１９】
舌片を長穴に挿入し、舌片の突出部を裏面側に突出させることにより、突出部と長穴の縁との係合により、蓋は容器本体から外れ難くなる。舌片が複数ある場合、突出部を表面側と裏面側の双方に突出させることにより、蓋をより外れ難くすることができる。突出部に逆突出部を設けることにより、突出部を裏面側に突出させると、逆突出部の長さ分をより大きく裏面側に突出させることができるので、さらに蓋が容器本体から外れ難くなる。
【００２０】
容器本体から蓋を外す際には、舌片の裏面側に突出させた突出部を裏側から押し戻すことにより、蓋は容器本体から容易に外すことができる。
【００２１】
容器本体には、延伸部の配置位置の外側に上面側へ突出した支持用突起を設けることが好ましい。この支持用突起が蓋の開きを抑制できるので、蓋を最大に開けても、蓋自体の重さによっても外れることがより少なくなる。
【実施例】
【００２２】
本発明に係る実施例１を、図面を参照しつつ、詳細に説明する。
本発明に係る蓋の実施例を、図１に示す。蓋１は、その端部１１に舌片１２を有し、舌片１２の平面にその平面より突出した突出部１３を有するものである。突出部１３は、当該突出部１３の突出方向とは反対方向に押された際に、舌片１２の裏面側に突出し、その突出後の形状が維持されるものである。蓋１の素材として二軸延伸ポリスチレンを用いた。
【００２３】
符号２は容器本体であり、この容器本体２は、その端縁を延伸した延伸部２１を有し、延伸部２１に長穴２２を有し、長穴２２の配置位置の外側に上面側に突出した支持用突起２３を有するものである。容器本体２の素材として二軸延伸ポリスチレンを用いた。
【００２４】
本実施例の蓋１を容器本体２に取り付ける工程について、図２乃至図５を用いて説明する。図２乃至図５における符号１４は逆突出部である。
【００２５】
図２の矢印の方向に蓋１を進め、長穴２２に舌片１２を蓋１の端縁１１まで挿入し、図３の状態にする。
【００２６】
図３の状態から突出部１３を図４に示す矢印の方向に押し、図４の状態にする。この状態にすることにより、突出部１３の内側にあった逆突出部１４が突出される。これにより、逆突出部１４が延伸部２１に係合され、蓋１が容器本体２から外れ難くなった。
【００２７】
図５は、容器本体２の蓋１を大きく空けた状態を示したものである。逆突起部１４と延伸部２１の係合とともに、支持用突起２３が蓋１の動きを規制しているので、蓋１が容器本体２からより外れ難くなった。
【００２８】
図示はしなかったが、舌片を３個設けた場合、突出部１３の突出方向を交互にすることによって、蓋１が容器本体２からより外れ難くなった。
【００２９】
実施例２について、図６を用いて説明する。
【００３０】
実施例２は、実施例１の舌片１２の突出部１３にリブ１５を設け、逆突出部を無くしたものである。
【００３１】
リブ１５を設けたので、突出部１３を裏面側に突出した際の形状維持がより安定した。逆突出部がなくても、２箇所ある突出部を表側と裏側の双方に突出させることによって、蓋１が容器本体２から外れ難いという効果は発揮されていた。
【図１】
2011168295.tif 000003
【図２】
2011168295.tif 000004
【図３】
2011168295.tif 000005
【図４】
2011168295.tif 000006
【図５】
2011168295.tif 000007
【図６】
2011168295.tif 000008